【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
サービング基地局（ＢＳ）による無線通信のための方法であって、
前記サービングＢＳあるいは１つ以上の潜在的に干渉するＢＳのうちの少なくとも１つからの送信に使用される、制限されたセットのシステムパラメータに関する情報を決定することと、ここにおいて、前記制限されたセットのシステムパラメータは、利用可能なトラフィック対パイロット（ＴＰＲ）値のサブセット、利用可能な送信モードのサブセット、あるいは利用可能なリソース割り当てタイプのサブセット、のうちの少なくとも１つを含む、
前記情報をユーザ装置（ＵＥ）にシグナリングすることと、
を備える方法。
【請求項２】
前記決定することはＢＳ間のバックホールを介して前記情報を受信することを備える請求項１の方法。
【請求項３】
前記制限されたセットのシステムパラメータは、サブフレームのサブセット、ハイブリッド自動反復要求（ＨＡＲＱ）プロセスのサブセット、あるいは１つ以上の動作モードのサブセット、のうちの少なくとも１つに関して選択的に使用される請求項１の方法。
【請求項４】
前記シグナリングは、ブロードキャストシグナリング、無線リソース制御（ＲＲＣ）シグナリング、あるいはレイヤ１シグナリングのうちの少なくとも１つを備える請求項１の方法。
【請求項５】
前記情報は、特定のパラメータが送信に使用される、前記制限されたセットのシステムパラメータの一部であるかを示すためのビットマップを備える請求項１の方法。
【請求項６】
サービング基地局（ＢＳ）による無線通信のための装置であって、
前記サービングＢＳあるいは１つ以上の潜在的に干渉するＢＳのうちの少なくとも１つからの送信に使用される、制限されたセットのシステムパラメータに関する情報を決定し、ここにおいて、前記制限されたセットのシステムパラメータは、利用可能なトラフィック対パイロット（ＴＰＲ）値のサブセット、利用可能な送信モードのサブセット、あるいは利用可能なリソース割り当てタイプのサブセット、のうちの少なくとも１つを含み、
前記情報をユーザ装置（ＵＥ）にシグナリングする
ように構成された少なくとも１つのプロセッサと、
前記少なくとも１つのプロセッサに結合されたメモリと、
を備える装置。
【請求項７】
前記制限されたセットのシステムパラメータは、サブフレームのサブセット、ハイブリッド自動反復（ＨＡＲＱ）プロセスのサブセット、あるいは１つ以上の動作モードのサブセット、のうちの少なくとも１つに関して選択的に使用される請求項６の装置。
【請求項８】
前記情報は、特定のパラメータが、送信に使用される、前記制限されたセットのシステムパラメータの一部であるかを示すためのビットマップを備える請求項６の装置。
【請求項９】
前記情報は、複数のインデックス値から選択されたインデックス値を備え、各インデックス値は前記制限されたセットにおける許可可能なシステムパラメータの組み合わせを示す請求項６の装置。
【請求項１０】
前記決定することは異なるタイプの送信に使用される、異なる制限されたセットのシステムパラメータに関する情報を決定することを備える請求項６の装置。
【請求項１１】
ユーザ装置（ＵＥ）による無線通信のための方法であって、
サービング基地局（ＢＳ）あるいは１つ以上の潜在的に干渉するＢＳのうちの少なくとも１つからの送信に使用される、制限されたセットのシステムパラメータに関する情報のシグナリングを受信することと、ここにおいて、前記制限されたセットのシステムパラメータは、利用可能なトラフィック対基準信号電力（ＴＰＲ）値のサブセット、利用可能な送信モードのサブセット、あるいは利用可能なリソース割り当てタイプのサブセット、のうちの少なくとも１つを含む、
前記１つ以上の潜在的に干渉するＢＳあるいはサービングＢＳからの送信による干渉を抑制するために前記情報を使用することと、
を備える方法。
【請求項１２】
前記制限されたセットのシステムパラメータは、サブフレームのサブセット、ハイブリッド自動反復要求（ＨＡＲＱ）プロセスのサブセット、あるいは１つ以上の動作モードのサブセットのうちの少なくとも１つに関して選択的に使用される請求項１１の方法。
【請求項１３】
前記情報は、特定のパラメータが、送信に使用される、前記制限されたセットのシステムパラメータの一部であるかを示すためのビットマップを備える請求項１１の方法。
【請求項１４】
前記情報は、複数のインデックス値から選択されたインデックス値を備え、各インデックス値は前記制限されたセットにおける許可可能なシステムパラメータの組み合わせを示す請求項１１の方法。
【請求項１５】
ユーザ装置（ＵＥ）による無線通信のための装置であって、
サービング基地局（ＢＳ）あるいは１つ以上の潜在的に干渉するＢＳのうちの少なくとも１つからの送信に使用される、制限されたセットのシステムパラメータに関する情報のシグナリングを受信し、ここにおいて、前記制限されたセットのシステムパラメータは、利用可能なトラフィック対基準信号電力（ＴＰＲ）値のサブセット、利用可能な送信モードのサブセット、あるいは利用可能なリソース割り当てタイプのサブセット、のうちの少なくとも１つを含み、
前記１つ以上の潜在的に干渉するＢＳあるいはサービングＢＳからの送信による干渉を抑制するために前記情報を使用する
ように構成された少なくとも１つのプロセッサを備える装置。
【手続補正２】
【補正対象書類名】明細書
【補正対象項目名】００７９
【補正方法】変更
【補正の内容】
【００７９】
［００８９］上記した記述は当業者がここに記述された種々の側面を実施することができるように提供された。当業者にとってこれらの側面に対する種々の変更が容易に可能であり、ここに定義された一般的な原理は他の側面に適用することができる。すなわち、特許請求の範囲はここに示される側面に制限されることを意図しておらず、言語クレームに合致した全範囲が付与されるべきである。単数における要素に対する参照は特別にそのように述べられないかぎり、“１つおよびただ１つ”を意味することを意図するものではなく、“１つ以上”を意図するものである。特別にそのように述べられないかぎり、術語“いくつかの”は１つ以上を意味する。当業者に知られたあるいは後に知られるようになったこの開示を通して記述された種々の側面の要素に対するすべての構造上のあるいは機能上の均等物は参照によってここに明示的に組み込まれるとともに、特許請求の範囲によって包囲されることを意図している。さらに、そのような開示が請求の範囲に明示的に記述されているかとは無関係にここに記述されたものはもっぱら公衆に用いられることを意図するものではない。要素が“のための手段”を用いて明示的に記述されないかぎり、特許請求の範囲の要素はミーンズプラスファンクションとして解釈されるべきではない。
以下に本願発明の当初の特許請求の範囲に記載された発明を付記する。
［Ｃ１］
サービング基地局（ＢＳ）による無線通信のための方法であって、
前記サービングＢＳあるいは１つ以上の潜在的に干渉するＢＳからの送信に使用される、制限されたセットのシステムパラメータに関する情報を決定することと、
前記情報をユーザ装置（ＵＥ）にシグナリングすることと、を備える方法。
［Ｃ２］
前記決定することはＢＳ間のバックホールを介して前記情報を受信することを備えるＣ１の方法。
［Ｃ３］
前記制限されたセットのシステムパラメータは、利用可能なトラフィックに対するパイロット（ＴＰＲ）値のサブセット、利用可能な送信モードのサブセット、あるいは利用可能なリソース割り当てタイプのサブセット、の少なくとも１つを含むＣ１の方法。
［Ｃ４］
前記制限されたセットのシステムパラメータは、サブフレームのサブセット、ハイブリッド自動反復要求（ＨＡＲＱ）プロセスのサブセット、あるいは１つ以上の動作モードのサブセット、のうちの少なくとも１つに関して選択的に使用されるＣ１の方法。
［Ｃ５］
前記シグナリングは、ブロードキャストシグナリング、無線リソース制御（ＲＲＣ）シグナリング、あるいはレイヤ１シグナリングの少なくとも１つを備えるＣ１の方法。
［Ｃ６］
前記情報は、特定のパラメータが送信に使用される、制限されたセットのシステムパラメータの一部であるかを示すためのビットマップを備えるＣ１の方法。
［Ｃ７］
前記情報は、複数のインデックス値から選択された、インデックス値を備え、各インデックス値は前記制限されたセットにおける許可可能なシステムパラメータの組み合わせを示すＣ１の方法。
［Ｃ８］
各組み合わせは異なるタイプのシステムパラメータの組み合わせを備えるＣ７の方法。
［Ｃ９］
各組み合わせは１つ以上の許可可能な送信モード、１つ以上の許可可能な送信電力値、あるいは１つ以上の許可可能なリソース割り当てタイプのうちの少なくとも２つを備えるＣ８の方法。
［Ｃ１０］
前記決定することは、異なるタイプの送信に使用される、異なる制限されたセットのシステムパラメータに関する情報を決定することを備えるＣ１の方法。
［Ｃ１１］
前記異なるタイプの送信は少なくともユニキャストおよびブロードキャスト送信を備えるＣ１０の方法。
［Ｃ１２］
前記異なるタイプの送信は共通基準信号（ＣＲＳ）主体の送信と、ＵＥ特定ＲＳ（ＵＥ−ＲＳ）主体の送信を備えるＣ１０の方法。
［Ｃ１３］
前記情報を決定し、当該情報をユーザ装置（ＵＥ）にシグナリングすることを引き起こす１つ以上の状態を検出することをさらに備えるＣ１の方法。
［Ｃ１４］
１つ以上の状態を検出することは、特定の多重モードの使用または送信がブロードキャストかユニキャストか、の少なくとも１つを検出することを含むＣ１３の方法。
［Ｃ１５］
前記決定することは、異なるセルの身元情報（セルＩＤ）に使用される異なる制限されたセットのシステムパラメータに関する情報を決定することを備えるＣ１の方法。
［Ｃ１６］
前記異なるセルＩＤは異なるバーチャルセルＩＤまたは物理的セルＩＤの少なくとも１つを備えるＣ１５の方法。
［Ｃ１７］
サービング基地局（ＢＳ）による無線通信のための装置であって、
サービングＢＳあるいは１つ以上の潜在的に干渉するＢＳの少なくとも１つからの送信に使用される、制限されたセットのシステムパラメータに関する情報を決定し、
前記情報をユーザ装置（ＵＥ）にシグナリングする
ように構成された少なくとも１つのプロセッサと、
前記少なくとも１つのプロセッサに結合されたメモリと、を備える装置。
［Ｃ１８］
前記制限されたセットのシステムパラメータは、利用可能なトラフィックに対するパイロット（ＴＰＲ）値のサブセット、利用可能な送信モードのサブセット、あるいは利用可能なリソース割り当てタイプのサブセット、の少なくとも１つを含むＣ１７の装置。
［Ｃ１９］
前記制限されたセットのシステムパラメータは、サブフレームのサブセット、ハイブリッド自動反復（ＨＡＲＱ）プロセスのサブセット、あるいは１つ以上の動作モードのサブセット、の少なくとも１つに関して選択的に使用されるＣ１７の装置。
［Ｃ２０］
前記情報は、特定のパラメータが、送信に使用される、前記制限されたセットのシステムパラメータの一部であるかを示すためのビットマップを備えるＣ１７の装置。
［Ｃ２１］
前記情報は、複数のインデックス値から選択されたインデックス値を備え、各インデックス値は前記制限されたセットにおける許可可能なシステムパラメータの組み合わせを示すＣ１７の装置。
［Ｃ２２］
前記決定することは異なるタイプの送信に使用される、異なる制限されたセットのシステムパラメータに関する情報を決定することを備えるＣ１７の装置。
［Ｃ２３］
前記少なくとも１つのプロセッサはさらに、前記情報を決定し、当該情報をＵＥにシグナリングすることを引き起こす１つ以上の状態を検出するように構成されるＣ１７の装置。
［Ｃ２４］
ユーザ装置（ＵＥ）による無線通信のための方法であって、
サービング基地局（ＢＳ）あるいは１つ以上の潜在的に干渉するＢＳの少なくとも１つからの送信に使用される、制限されたセットのシステムパラメータに関する情報のシグナリングを受信することと、
前記１つ以上の潜在的に干渉するＢＳあるいはサービングＢＳからの送信による干渉を抑制するために前記情報を使用することと、を備える方法。
［Ｃ２５］
前記制限されたセットのシステムパラメータは、利用可能なトラフィックに対する基準信号電力（ＴＰＲ）値のサブセット、利用可能な送信モードのサブセット、あるいは利用可能なリソース割り当てタイプのサブセットの少なくとも１つを含むＣ２４の方法。
［Ｃ２６］
前記制限されたセットのシステムパラメータは、サブフレームのサブセット、ハイブリッド自動反復要求（ＨＡＲＱ）プロセスのサブセット、あるいは１つ以上の動作モードのサブセットのうちの少なくとも１つに関して選択的に使用されるＣ２４の方法。
［Ｃ２７］
前記情報は、特定のパラメータが、送信に使用される、前記制限されたセットのシステムパラメータの一部であるかを示すためのビットマップを備えるＣ２４の方法。
［Ｃ２８］
前記情報は、複数のインデックス値から選択されたインデックス値を備え、各インデックス値は前記制限されたセットにおける許可可能なシステムパラメータの組み合わせを示すＣ２４の方法。
［Ｃ２９］
前記受信することは、異なるセルの身元情報（セルＩＤ）に使用される異なる制限されたセットのシステムパラメータに関する情報を受信することを備えるＣ２４の方法。
［Ｃ３０］
ユーザ装置（ＵＥ）による無線通信のための装置であって、
サービング基地局（ＢＳ）あるいは１つ以上の潜在的に干渉するＢＳの少なくとも１つからの送信に使用される、制限されたセットのシステムパラメータに関する情報のシグナリングを受信し、
前記１つ以上の潜在的に干渉するＢＳあるいはサービングＢＳからの送信による干渉を抑制するために前記情報を使用するように構成された少なくとも１つのプロセッサを備える装置。